(57)【要約】【課題】コンテンツの再生に関連させて愛玩と遊ぶような感覚をユーザに付与することができるとともに、愛玩と遊んでいるような感覚で分かりやすくコンテンツ再生の操作が可能なコンテンツ再生装置を提供する。【解決手段】キャラクタ形状をした本体部１００と、光ディスクＤからデータを読み出してコンテンツの再生を行う再生手段と、本体部１００の頭頂部に設けられた検出スイッチと、本体部１００を走行させて運動させる運動手段１１４，１１４と、音声合成出力を行う音声出力手段と、各部の制御を行う制御手段とを備え、制御手段は、検出スイッチが連続的に押された回数に応じてコンテンツ再生に関する動作モードを変化させるとともに、この動作モードに対応した内容の音声出力を行わせ、さらに、コンテンツの再生モード中に本体部１００の運動を発生させる構成とした。【選択図】図１
2009054201.tif 000002
【特許請求の範囲】
【請求項１】
キャラクタ形状をした本体部と、
映像又は音声のコンテンツデータを格納した記憶媒体からデータを読み出してコンテンツの再生を行う再生手段と、
前記本体部の頭頂部に設けられ押されたことを検出する検出スイッチと、
前記本体部を走行させることおよび／または前記本体部の形態を変化させることの可能な運動手段と、
音声合成出力を行う音声出力手段と、
各部の制御を行う制御手段とを備え、
前記制御手段は、
前記検出スイッチが連続的に押された回数に応じて前記コンテンツの再生に関する動作モードを変化させるとともに、この動作モードに対応した内容の音声出力を前記音声出力手段により行わせ、
さらに、コンテンツの再生モード中に前記運動手段により前記本体部の運動を発生させることを特徴とするコンテンツ再生装置。
【請求項２】
光ディスクが投入可能なディスク投入手段を有し、
前記再生手段は、
前記投入手段に投入された光ディスクからコンテンツ再生を行う構成であることを特徴とする請求項１記載のコンテンツ再生装置。
【請求項３】
前記制御手段は、
前記検出スイッチが連続的に押された回数に応じて再生、停止、早送り、早戻しの各動作モードに変化させることを特徴とする請求項１又は２記載のコンテンツ再生装置。
【請求項４】
前記運動手段は、
複数種類の動作を行わせる複数の動作モードを有し、
前記制御手段は、
前記複数の動作モードを時系列的に組み合わせて発生させることを特徴とする請求項１〜３の何れか１項に記載のコンテンツ再生装置。
【請求項５】
前記コンテンツデータの再生データ又は再生信号を無線伝送する伝送手段と、
前記本体部とは別体に設けられ前記伝送手段から無線伝送された再生データ又は再生信号を受信して再生装置へ再生信号を出力する受信機と、
を備えていることを特徴とする請求項１〜４の何れか１項に記載のコンテンツ再生装置。
【請求項６】
キャラクタ形状をした本体部と、
光ディスクが投入可能なディスク投入手段と、
該ディスク投入手段に投入された光ディスクから映像又は音声のコンテンツデータを読み出してコンテンツの再生を行う再生手段と、
前記本体部の頭頂部に設けられ押されたことを検出する検出スイッチと、
前記本体部を走行させることおよび／または前記本体部の形態を変化させることにより複数種類の動作を行わせる複数の動作モードを発生可能な運動手段と、
音声合成出力を行う音声出力手段と、
各部の制御を行う制御手段とを備え、
前記制御手段は、
前記検出スイッチが連続的に押された回数に応じて、前記コンテンツに再生に関する動作モードを再生、停止、早送り、早戻しの各動作モードに変化させるとともに、これらの動作モードに対応した内容の音声出力を前記音声出力手段に行わせ、
さらに、コンテンツの再生モード中に前記運動手段により前記複数の動作モードを時系列的に組み合わせて発生させ、前記本体部を運動させることを特徴とするコンテンツ再生装置。
【発明の詳細な説明】
【技術分野】
【０００１】
この発明は、例えばＤＶＤプレーヤやフラッシュメモリプレーヤなどのコンテンツ再生装置に関する。
【背景技術】
【０００２】
例えば、ＤＶＤプレーヤやフラッシュメモリプレーヤなと、映像や音声のコンテンツデータを再生するコンテンツ再生装置がある。
【０００３】
また、本願発明に関連した従来技術として、次のような技術の開示があった。例えば、特許文献１には、コンテンツ再生装置の再生動作と連動させて人形を動かす装置が開示されている。また、特許文献２には、動物の形をしたカセットテープレコーダで動くようにした構成が開示されている。また、特許文献３には、自走式クリーナの機能を備えたＤＶＤプレーヤが開示されている。
【特許文献１】特開２００２−４５５８０号公報
【特許文献２】実開平４−８３３９１号公報
【特許文献３】特開２００６−２６８９９５号公報
【発明の開示】
【発明が解決しようとする課題】
【０００４】
現在、一般的なコンテンツ再生装置では、コンテンツ再生に関わるさまざまな機能が出尽した感があり、別の観点から楽しみの得られるような再生装置が望まれている。また、子供から老人にまで楽しみを付加するようなコンテンツ再生装置にあっては、装置の操作方法を分かりやすいものにすることが必須であると考えられる。
【０００５】
この発明の目的は、コンテンツの再生に関連させて愛玩と遊ぶような感覚をユーザに付与することができるとともに、愛玩と遊んでいるような感覚で分かりやすくコンテンツ再生の操作が可能なコンテンツ再生装置を提供することにある。
【課題を解決するための手段】
【０００６】
本発明は、上記目的を達成するため、キャラクタ形状をした本体部と、映像又は音声のコンテンツデータを格納した記憶媒体からデータを読み出してコンテンツの再生を行う再生手段と、前記本体部の頭頂部に設けられ押されたことを検出する検出スイッチと、前記本体部を走行させることおよび／または前記本体部の形態を変化させることの可能な運動手段と、音声合成出力を行う音声出力手段と、各部の制御を行う制御手段とを備え、前記制御手段は、前記検出スイッチが連続的に押された回数に応じて前記コンテンツの再生に関する動作モードを変化させるとともに、この動作モードに対応した内容の音声出力を前記音声出力手段により行わせ、さらに、コンテンツの再生モード中に前記運動手段により前記本体部の運動を発生させる構成とした。
【０００７】
具体的には、光ディスクが投入可能なディスク投入手段を有し、前記再生手段は、前記投入手段に投入された光ディスクからコンテンツ再生を行う構成とすると良い。
【０００８】
さらに具体的には、前記制御手段は、前記検出スイッチが連続的に押される回数に応じて再生、停止、早送り、早戻しの各動作モードに変化させる構成とすると良い。
【０００９】
好ましくは、前記運動手段は、複数種類の動作を行わせる複数の動作モードを有し、前記制御手段は、前記複数の動作モードを時系列的に組み合わせて発生させるように構成すると良い。
【００１０】
さらに具体的には、前記コンテンツデータの再生データ又は再生信号を無線伝送する伝送手段と、前記本体部とは別体に設けられ前記伝送手段から無線伝送された再生データ又は再生信号を受信して再生装置へ再生信号を出力する受信機とを備えるように構成すると良い。
【発明の効果】
【００１１】
本発明に従うと、コンテンツの再生と関連させて愛玩的なキャラクタと遊んでいるような感覚をユーザに与えることができるともに、このキャラクタと遊ぶような感覚で分かりやすいコンテンツ再生の操作をユーザに行わせることができるという効果がある。
【発明を実施するための最良の形態】
【００１２】
以下、本発明の実施の形態を図面に基づいて説明する。
【００１３】
図１は、本発明の実施形態のコンテンツ再生装置の全体構成の外観を示す斜視図、図２は、本体部に設けられたスイッチ構成を示す斜視図、図３は、本体部の底面部に設けられた走行ローラの構成を示す底面図である。
【００１４】
この実施の形態のコンテンツ再生装置は、光ディスクＤの再生等を行う愛玩キャラクタ形状をした本体部１００と、本体部１００から無線伝送される再生データを受信してテレビ受像機に出力する受信機２００とから構成される。
【００１５】
本体部１００は、愛玩キャラクタの形態に形成されるとともに、その胴体部に、光ディスクＤが投入されてこの光ディスクＤの再生を行うディスク再生部が設けられている。ディスク再生部は、例えば、スロットイン形式で光ディスクＤを挿入するディスク挿入部１１０を備えている。この実施形態では、例えば、直径８センチの光ディスクＤを再生の対象としている。
【００１６】
また、本体部１００の頭頂部には、図２に示すように、押されたことを検知する検出スイッチとしての頭頂部スイッチ１１２が設けられている。このスイッチは、例えば、接点式のスイッチを適用したり、或いは、静電容量方式のタッチスイッチなどを適用したりすることができる。
【００１７】
また、本体部１００の底面部には、図３に示すように、走行ローラ１１４，１１４，１１５が設けられている。例えば、前側の走行ローラ１１４，１１４は、内部の自走モータ１１３（図４参照）により回転駆動されるように構成され、後方の走行ローラ１１５は従動的に回転するとともに、内部の方向切換モータ１１６により左右の方向に向きを切り換えられるように構成されている。これらの構成から運動手段が構成され、これらによって本体部１００が方向を自在に切り換えながら走行運動することが可能にされている。
【００１８】
受信機２００は、電源を入力する電源コード２０４や、テレビ受像機に接続されて映像信号や音声信号を出力するＡＶケーブル２０５が設けられ、本体部１００で読み出されて無線伝送されたコンテンツデータを受信するとともに、テレビ受像機にこのコンテンツデータの映像信号や音声信号を出力する機能を有するものである。
【００１９】
また、この受信機２００は、Ｕ字状に一方が開放された収容枠２０２に本体部１００が収められた場合に、本体部１００に非接触で電力を伝送して本体部１００に収容された蓄電池１３０に充電を行う機能も有している。
【００２０】
図４は、実施形態のコンテンツ再生装置の内部構成を示すブロック図である。
【００２１】
本体部１００は、図４（ａ）に示すように、その内部に、光ディスクの再生処理を行う再生手段としてのディスク処理部１２０と、コンテンツデータの無線伝送を行う無線伝送部１４１と、本体部１００の全体的な制御を行う制御手段としてのコントローラ１５０と、音声合成出力を行う音声出力手段としての音声合成回路１４４およびスピーカ１４５と、各部に電源電圧を供給する蓄電池１３０と、受信機２００から非接触で電力を入力する電磁コイル１３２と、上述したユーザからの操作を入力する頭頂部スイッチ１１２と、走行駆動を行う自走モータ１１３と、走行時の方向切り換えを行う方向切換モータ１１６等を備えている。
【００２２】
ディスク処理部１２０は、光ディスクＤを回転させるスピンドル機構１２２と、ディスク挿入部１１０に挿入された光ディスクＤをスピンドル機構１２２まで誘導してセットするローディング機構１２１と、スピンドル機構１２２により回転される光ディスクＤに対してレーザ光を照射してデータを読み出す光ピックアップ１２５と、光ピックアップ１２５を光ディスクＤの半径方向にスライド移動させるピックアップスライド機構１２３と、光ピックアップ１２５により読み出された信号からエラー訂正等を行ってコンテンツデータであるリードデータを生成する信号処理回路１２６と、これらの各部の統括的な制御を行う制御回路１２４等を備えている。そして、制御回路１２４がコントローラ１５０から各種のコマンドを受けて、光ディスクＤの再生処理を開始したり停止したり、また再生処理のモード変更を行ったりするようになっている。
【００２３】
無線伝送部１４１は、ディスク処理部１２０で再生されたコンテンツデータを、無線伝送用のデータ形式に変換するとともに、このデータ信号を変調し且つ搬送波に載せてアンテナＡＮ１へ出力するものである。無線伝送の方式としては、例えば、無線ＬＡＮ（Local Area Network）の伝送方式などを適用することができる。
【００２４】
蓄電池１３０は、例えば、リチウムイオン二次電池やニッケル水素二次電池などであり、電磁コイル１３２を介して外部から入力された電力によって充電されるように構成されている。蓄電池１３０には、充電電圧や充電電流が所定電圧を超えないように制限する保護回路等が設けられている。また、電磁コイル１３２は、本体部１００が受信機２００の収容枠２０２に収容されたときに、この収容枠２０２の壁面に対向するように本体部１００の背面側に配置されている。
【００２５】
音声合成回路１４４は、複数種類の音声データを格納し、これら複数種類の音声データをつなぎ合わせる形で音声信号を合成してスピーカ１４５に出力するものである。音声データとしては、例えば、「再生」、「停止」、「逆送り再生」、「早送り」などの動作モードの内容を表わす音声データと、「したよ」、「だよ」などの接尾語の音声データが含まれる。
【００２６】
コントローラ１５０は、頭頂部スイッチ１１２から信号を入力したり、自走モータ１１３や方向切換モータ１１６のドライブ回路、および音声合成回路１４４へ信号を出力したりするＩ／Ｏ回路と、ディスク処理部１２０の制御回路１２４や無線伝送部１４１との間でコマンドの送受信を行う送受信回路と、制御データや制御プログラムが格納される不揮発性メモリと、制御プログラムを実行するＣＰＵ（中央演算処理装置）と、ＣＰＵに作業用のメモリ空間を提供するＲＡＭ（Random Access Memory）等を備えている。
【００２７】
受信機２００は、図４（ｂ）に示すように、その内部に、本体部１００から無線伝送された無線信号を受信するアンテナＡＮ２と、その受信処理を行う無線受信部２１２と、無線受信部２１２により受信されたコンテンツデータのデコード処理を行うデコーダ２１４と、デコードされた音声データを音声信号に変換するＤ／Ａコンバータ２１６と、デコードされた映像データをテレビ出力用の信号に変換するビデオエンコーダ２１８と、電源を入力して各部に電源電圧を供給する電源回路２２０と、本体部１００側の蓄電池１３０に対して電磁コイル２２３，１３２を介して充電を行う充電回路２２２等を備えている。
【００２８】
電磁コイル２２３は、例えば、受信機２００の収容枠２０２の壁面内に配置され、本体部１００がこの収容枠２０２に収容された際に、本体部１００側の電磁コイル１３２と受信機２００側の電磁コイル２２３とが電磁結合して、充電回路２２２から蓄電池１３０へ電力が送られ、蓄電池１３０への充電が行われるようになっている。
【００２９】
無線受信部２１２で受信されたコンテンツデータは、デコーダ２１４とＤ／Ａコンバータ２１６とビデオエンコーダ２１８とを介して音声信号や映像信号に変換されて、例えば、図示しないテレビ受像機にＡＶケーブル２０５を介して出力されるようになっている。これにより、本体部１００で光ディスクＤから読み出されたコンテンツデータに基づく音声出力や映像出力がテレビ受像機において行われるようになっている。
【００３０】
次に、上記構成のコンテンツ再生装置の動作について説明する。
【００３１】
図５は、コントローラ１５０により実行される制御処理のフローチャート、図６は、頭頂部スイッチ１１２の操作回数とそれにより移行される動作モードの関係を表わした図表である。
【００３２】
この実施形態のコンテンツ再生装置は、本体部１００の頭頂部スイッチ１１２を１回もしくは連続的に複数回軽くたたくことで、そのたたいた回数に応じて光ディスクＤの再生処理の動作モードが変更されるようになっている。例えば、図６に示すように、１回たたけば停止に、２回たたけば通常の再生処理に、３回たたけば早送りの再生処理に、４回たたけば早戻し再生処理に、それぞれ処理が移行されるように構成されている。
【００３３】
コントローラ１５０は、図５の制御処理が開始されると、先ず、頭頂部スイッチ１１２からの信号入力の有無を監視する（ステップＳ１）。そして、頭頂部スイッチ１１２の入力が有ったら所定の時間間隔内に連続的な入力がないか回数カウントを行って（ステップＳ２）、頭頂部スイッチ１１２からの連続的なスイッチ入力の回数に応じた分岐を行う（ステップＳ３）。これにより、ユーザが本体部１００の頭頂部を何回かたたくことで、その回数に応じて光ディスクの３種類の再生処理、すなわち、通常の再生処理（ステップＳ７）、早送りの再生処理（ステップＳ１０）、逆送りの再生処理（ステップＳ１３）の何れか、或いは、再生の停止処理（ステップＳ４）が実行されるようになっている。再生処理が実行されたら、本体部１００で再生されたコンテンツデータが受信機２００に無線伝送されて、受信機２００に接続されたテレビ受像機にその映像と音声が出力されるようになっている。
【００３４】
さらに、この実施形態のコンテンツ再生装置では、３種類の再生処理の何れか或いは再生の停止処理がなされたら、これらの処理モードに移行したことを音声出力により表わす音声合成出力処理（ステップＳ５，Ｓ８，Ｓ１１，Ｓ１４の何れか）を行う。これにより、例えば、ユーザが本体部１００の頭頂部を２回たたいて再生処理が開始されたら本体部１００のスピーカ１４５から「再生だよ」等の音声出力がなされて、ユーザにその操作内容がフィードバックされるようになっている。１回、３回、４回の場合も同様に操作内容を表わす音声出力がなされるようになっている。なお、この音声合成処理において、動作モードを表わす単語に付加される接尾語（例えば「だよ」、「したよ」など）をランダムに変更することで、音声出力パターンがランダムに変化されるように構成しても良い。
【００３５】
さらに、このコンテンツ再生装置においては、上記の３種類の再生処理（ステップＳ７，Ｓ１０，Ｓ１３）の何れかを実行したら、それに応じた運動処理（ステップＳ９，Ｓ１２，Ｓ１５）が実行されて本体部１００の走行運動が開始されるようになっている。また、再生停止の処理（ステップＳ４）がなされた場合には、上記の走行運動が停止されるようになっている（ステップＳ６）。
【００３６】
図７には、運動モードの種類とその動作内容を表わした図表を示す。
【００３７】
本体部１００の走行運動は、例えば、図７に示すように、８の字走行を行うモードＡ、ジグザグ走行を行うモードＢ、円走行を行うモードＣの３種類の組み合わせにより実現される。これら３種類の運動モードＡ〜Ｃの運動は、走行ローラ１１４，１１４を自走モータ１１３により駆動するとともに、予め設定された適宜なタイミングで走行ローラ１１５の向きを方向切換モータ１１６により左右に切り換えることで実現される。
【００３８】
そして、通常の再生処理（ステップＳ７）に移行した場合には、上記の３種類の運動モードＡ〜Ｃを時系列的にランダムに組み合わせて動作させるランダム運動Ｎを開始させ（ステップＳ９）、早送りの再生処理（ステップＳ１０）や早戻しの再生処理（ステップＳ１３）に移行した場合には、上記のように３種類の運動モードＡ〜Ｃを時系列的にランダムに組み合わせて動作させるランダム運動Ｓやランダム運動Ｒを開始させる（ステップＳ１２，Ｓ１４）。
【００３９】
これらのランダム運動Ｎ，Ｓ，Ｒは、例えば、上記の運動モードＡ〜Ｃの組み合わせ方に一定の法則を付加しつつ、擬似乱数を用いてランダムに組み合わせることで、ランダムでありながらも、それぞれ全体として一定の動作の特徴が表れるように構成しても良い。
【００４０】
そして、上記のような運動処理（ステップＳ９，Ｓ１２，Ｓ１４）や運動停止処理（ステップＳ６）がなされたら、一連の制御処理を終了して、再び、ステップＳ１の処理からこの制御処理を再開するようになっている。
【００４１】
以上のように、この実施形態のコンテンツ再生装置によれば、コンテンツの再生に関連させて愛玩キャラクタと遊んでいる感覚をユーザに付与することが出来るとともに、愛玩キャラクタと遊ぶような感覚でコンテンツ再生の操作を行うことが出来る。また、ユーザは本体部１００の頭頂部を連続的にたたく回数でコンテンツ再生に関する動作モードが切り換わり、操作後には音声出力により操作内容がユーザにフィードバックされるので、ユーザにとって分かりやすい操作が実現される。
【００４２】
また、本体部１００の運動は、複数種類の運動モードを種々の態様で時系列的に組み合わせて発生させるので、簡単な組み合わせ処理によって多様なパターンの動作を実現することができ、それにより、飽きのこない動作をユーザに提供することができる。
【００４３】
なお、本発明は、上記実施の形態に限られるものではなく、様々な変更が可能である。例えば、上記実施形態では、コンテンツデータを格納する記憶媒体として光ディスクを例示したが、例えば、フラッシュメモリなどの記憶媒体にコンテンツデータを格納してそれを再生する装置としても良い。また、再生するのが音声データのみであれば、無線伝送手段を省略して、本体部１００のみで音声データの再生および出力を行う構成としても良い。また、光ディスクを投入する手段としてオープンリッド型の構成を適用しても良い。
【００４４】
また、動作手段として、本体部１００を走行させる手段を例示したが、手や尻尾を動かすような構成を付加しても良い。また、走行する手段をなくして本体部１００の位置が固定される構成とすることで、無線伝送手段を省いて本体部１００をテレビ受像機にケーブル接続する構成とすることもできる。
【００４５】
その他、本体部１００のキャラクタの形状、コンテンツ再生に関する動作モードの数や種類、頭頂部スイッチの操作回数と動作モードの対応関係、運動モードの数や種類など、実施の形態で示した細部等は発明の趣旨を逸脱しない範囲で適宜変更可能である。
【図面の簡単な説明】
【００４６】
【図１】本発明の実施形態のコンテンツ再生装置の全体構成の外観を示す斜視図である。
【図２】本体部に設けられた頭頂部スイッチの構成を示す斜視図である。
【図３】本体部の底面部に設けられた走行ローラの構成を示す底面図である。
【図４】コンテンツ再生装置の内部構成を示すブロック図である。
【図５】コントローラにより実行される制御処理の処理手順を示すフローチャートである。
【図６】スイッチの操作回数とそれにより移行される動作モードの関係を示す図表である。
【図７】運動モードの種類とその動作内容を示した図表である。
【符号の説明】
【００４７】
１００    本体部
１１０    ディスク挿入部（ディスク投入手段）
１１２    頭頂部スイッチ
１１４，１１５  走行ローラ
１１３    自走モータ
１１６    方向切換モータ
１２０    ディスク処理部
１３０    蓄電池
１４１    無線伝送部
１４４    音声合成回路
１４５    スピーカ
１５０    コントローラ
２００    受信機
２１２    無線受信部
２１４    デコーダ
２１６    Ｄ／Ａコンバータ
２１８    ビデオエンコーダ
２２０    電源回路
２２２    充電回路
【図１】
2009054201.tif 000003
【図２】
2009054201.tif 000004
【図３】
2009054201.tif 000005
【図４】
2009054201.tif 000006
【図５】
2009054201.tif 000007
【図６】
2009054201.tif 000008
【図７】
2009054201.tif 000009